(57)【特許請求の範囲】
【請求項１】
金属の導電性シートの複数のセグメントであって、各セグメントが別々の平面を定義し、別々の長手方向の軸を有する、複数のセグメントと、
前記複数のセグメントを結合して３次元物体にする複数の屈曲部であって、各屈曲部が前記複数のセグメントのうちの隣接するセグメントの唯一の対の間に配置され、前記隣接するセグメントの唯一の対は、２つの明確な別々の平面を定義する、複数の屈曲部と、
互いに溶接された２つの別々のセグメントを備える少なくとも１つのばねと、を備え、
前記複数のセグメントのうちの第１のセグメントは、第１のバッテリーセルのバッテリーポールのための１つ以上の第１の接続部を含み、
前記複数のセグメントのうちの第２のセグメントは、第２のバッテリーセルのバッテリーポールのための１つ以上の第２の接続部を含み、
前記１つ以上の第１の接続部は、前記１つ以上の第２の接続部と電気的な結合を有する、
バッテリーセルコネクタ。
【請求項２】
少なくとも２つの連続した金属のシートを備え、前記少なくとも２つの連続した金属のシートは、前記ばねを形成する前記２つの別々のセグメントを溶接することによって結合されている、
請求項１に記載のバッテリーセルコネクタ。
【請求項３】
前記複数の屈曲部は、少なくとも３つの異なる方向に向いている、
請求項１又は２に記載のバッテリーセルコネクタ。
【請求項４】
前記複数のセグメントのうちの前記第１のセグメントと前記第２のセグメントとは、互いに平行でない、
請求項１から３のいずれか１項に記載のバッテリーセルコネクタ。
【請求項５】
複数の転回部をさらに備え、
各転回部は、前記複数のセグメントのうちの第２の隣接するセグメントの唯一の対を結合し、前記第２の隣接するセグメントの唯一の対は、同一の前記別々の平面内に明確な別々の長手方向の軸を有する、
請求項１から４のいずれか１項に記載のバッテリーセルコネクタ。
【請求項６】
前記複数のセグメントは、前記１つ以上の第１の接続部と前記１つ以上の第２の接続部との間に前記電気的な結合を形成する電気導体を備える、
請求項１から５のいずれか１項に記載のバッテリーセルコネクタ。
【請求項７】
前記複数のセグメントは、Ｌ字形の開口を有する、
請求項１から６のいずれか１項に記載のバッテリーセルコネクタ。
【請求項８】
前記複数の屈曲部は、振動減衰部を備える、
請求項１から７のいずれか１項に記載のバッテリーセルコネクタ。
【請求項９】
前記バッテリーセルコネクタは、車両において用いるためのものであり、前記複数の屈曲部は、前記車両の動作条件の設定の範囲内で弾性変形可能である、
請求項１から８のいずれか１項に記載のバッテリーセルコネクタ。
【請求項１０】
前記複数の屈曲部は、３つの屈曲部を含み、前記３つの屈曲部は、３つの明確な屈曲軸を有する、
請求項１から９のいずれか１項に記載のバッテリーセルコネクタ。
【請求項１１】
前記３つの明確な屈曲軸は、互いに実質的に直交する、
請求項１０に記載のバッテリーセルコネクタ。
【請求項１２】
前記複数のセグメントは、３つのセグメントを含み、前記３つのセグメントは、３つの明確な別々の平面を定義する、
請求項１から１１のいずれか１項に記載のバッテリーセルコネクタ。
【請求項１３】
前記３つの明確な別々の平面は、実質的に直交する、
請求項１２に記載のバッテリーセルコネクタ。
【請求項１４】
前記第１の接続部及び前記第２の接続部の各接続部は、バッテリー端子を受け入れるのに適した開口を備え、前記バッテリー端子は、少なくとも部分的には前記開口の周囲に沿って機械的に接続される、
請求項１から１３のいずれか１項に記載のバッテリーセルコネクタ。
【請求項１５】
前記複数のセグメントのうちの各セグメントにおいて形成された少なくとも１つの振動吸収バンプをさらに含む、
請求項１から１４のいずれか１項に記載のバッテリーセルコネクタ。
【発明の詳細な説明】
【技術分野】
【０００１】
（関連出願の相互参照）
この出願は、「パワーバッテリーセルコネクタ、パワーバッテリーモジュール、パワーバッテリーパッケージ及び車両」との名称を付され、国家知識産権局に２０１５年５月８日に出願された、中国特許第２０１５１０２３３６０２．６号、及び、「パワーバッテリーセルコネクタ、パワーバッテリーモジュール、パワーバッテリーパッケージ及び車両」との名称を付され、国家知識産権局に２０１５年５月８日に出願された、中国特許第２０１５１０２３４５７５．４号の優先権を主張し、それらの両方が、ここに参照によって完全に取り込まれる。
【０００２】
（技術分野）
開示された実施形態は、概してバッテリーセルを結合する装置に関し、特に、機械的剛性及び／又は振動減衰を提供しながらバッテリーセルを電気的に結合する装置に関する。
【背景技術】
【０００３】
バッテリーは、（例えば、ハイブリッド及び電気自動車に用いるために）エネルギーストレージの普遍的な形式になった。バッテリーシステムのストレージ容量及び／又は出力を増加させるため、頻繁に、１つ以上のバッテリーセル（例えば、モジュール）が、（例えば、直列又は並列に）接続される。２つのバッテリーセルを直列に接続するため、第１のバッテリーの負極（ａｎｏｄｅ）は、第２のバッテリーの正極（ｃａｔｈｏｄｅ）に、典型的にはケーブルで接続される。
【０００４】
例えば、車両において、機械的な固定があれば、バッテリーケーブルは、ほとんど機械的な固定を提供しないため、バッテリーが使用されるとき、バッテリーセル接続で課題が生じる。例えば、車両における動作からバッテリーシステムによって経験される振動（例えば、バッテリーセル間の振動）に加えて、バッテリーセルの形状と大きさとの間の公差は、バッテリーシステムの機械的及び／又は電気的故障につながり得る。
【発明の概要】
【発明が解決しようとする課題】
【０００５】
このように、機械的剛性、固定及び／又は振動減衰を提供するバッテリーセルコネクタに対する需要が存在する。その目的のために、バッテリーセルを接続するときに機械的な固定及び／又は振動減衰を提供するバッテリーモジュールコネクタが開示される。
【課題を解決するための手段】
【０００６】
ある実施形態によれば、バッテリーセルコネクタは、複数のセグメントを備える。各セグメントは、別々の平面を定義し、別々の長手方向の軸を有する。バッテリーセルコネクタは、複数のセグメントを結合して３次元物体にする複数の屈曲部をさらに含み、各屈曲部は、複数のセグメントのうちの隣接するセグメントの唯一の対の間に配置され、隣接するセグメントの唯一の対は、２つの明確な別々の平面を定義する。複数のセグメントのうちの第１のセグメントは、第１のバッテリーセルのバッテリーポールのための１つ以上の第１の接続部を含み、複数のセグメントのうちの第２のセグメントは、第２のバッテリーセルのバッテリーポールのための１つ以上の第２の接続部を含む。１つ以上の第１の接続部は、１つ以上の第２の接続部と電気的に結合している。
【図面の簡単な説明】
【０００７】
【図１】図１は、ある実施形態による第１のバッテリーコネクタの斜視図である。
【図２】図２は、ある実施形態による第１のバッテリーセルコネクタを利用する第１のバッテリーシステムの部分分解図である。
【図３】図３は、ある実施形態による第１のバッテリーセルコネクタを利用する第１のバッテリーシステムの組立図である。
【図４】図４は、ある実施形態による第１のバッテリーセルコネクタを利用する第１のバッテリーシステムの組立図の一部の拡大を示す。
【図５】図５は、ある実施形態による第２のバッテリーセルコネクタの斜視図である。
【図６】図６は、ある実施形態による第２のバッテリーセルコネクタの平面図である。
【図７】図７は、ある実施形態による第２のバッテリーセルコネクタを利用する第２のバッテリーシステムの部分分解図である。
【図８】図８は、ある実施形態による第２のバッテリーセルコネクタを利用する第２のバッテリーシステムの組立図の一部の拡大を示す。
【図９】図９は、ある実施形態による第３のバッテリーセルコネクタを利用する第３のバッテリーシステムの部分分解図である。
【図１０】図１０は、ある実施形態による第３のバッテリーセルコネクタを利用する第３のバッテリーシステムの別の部分分解図である。
【図１１】図１１は、ある実施形態による第３のバッテリーセルコネクタを利用する第３のバッテリーシステムの組立図である。
【図１２】図１２は、ある実施形態による第３のバッテリーセルコネクタを利用する第３のバッテリーシステムの組立図の一部の拡大を示す。
【図１３】図１３は、ある実施形態による第４のバッテリーセルコネクタの斜視図である。
【図１４】図１４は、ある実施形態による第４のバッテリーセルコネクタを利用する第４のバッテリーシステムの部分分解図である。
【図１５】図１５は、ある実施形態による第４のバッテリーセルコネクタを利用する第４のバッテリーシステムの別の部分分解図である。
【図１６】図１６は、ある実施形態による第４のバッテリーセルコネクタを利用する第４のバッテリーシステムの組立図である。
【図１７】図１７は、ある実施形態による第４のバッテリーセルコネクタを利用する第４のバッテリーシステムの組立図の一部の拡大を示す。
【図１８】図１８は、ある実施形態による第５のバッテリーセルコネクタの斜視図である。
【図１９】図１９は、ある実施形態による第５のバッテリーセルコネクタを利用する第５のバッテリーシステムの部分分解図である。
【図２０】図２０は、ある実施形態による第５のバッテリーセルコネクタを利用する第５のバッテリーシステムの組立図である。
【図２１】図２１は、ある実施形態による第５のバッテリーセルコネクタを利用する第５のバッテリーシステムの組立図の一部の拡大を示す。
【図２２Ａ】図２２Ａは、様々な実施形態による追加的なバッテリーセルコネクタの斜視図である。
【図２２Ｂ】図２２Ｂは、様々な実施形態による追加的なバッテリーセルコネクタの斜視図である。
【図２３】図２３は、様々な実施形態による追加的なバッテリーセルコネクタの斜視図である。
【図２４】図２４は、様々な実施形態による追加的なバッテリーセルコネクタの斜視図である。
【図２５】図２５は、様々な実施形態による追加的なバッテリーセルコネクタの斜視図である。
【図２６Ａ】図２６Ａは、ある実施形態におけるシート金属プロセスを示す。
【図２６Ｂ】図２６Ｂは、ある実施形態におけるシート金属プロセスを示す。
【図２６Ｃ】図２６Ｃは、ある実施形態におけるシート金属プロセスを示す。
【発明を実施するための形態】
【０００８】
類似の参照番号は、図面全体を通して対応するパーツを指す。
【０００９】
ここで説明されるバッテリーセルコネクタは、１つ以上の方向において機械的剛性及び振動減衰を提供するような態様に構成された屈曲部及び転回部を有する材料（例えば、金属）のシートを含み、バッテリーセルの端子間の相互接続に対する機械的な固定を提供する。例えば、ある実施形態においては、ここで説明されるバッテリーセルコネクタは、効率的に各セグメントの長手方向の軸に沿って曲げ荷重及び剪断荷重を効率的に運搬する実質的に平坦な金属のシートのセグメントを含む。それらのセグメントは、屈曲部（例えば、非平面の長手方向の軸を有する２つのセグメントの間の接続）及び／又は転回部（例えば、平行ではないが、平面の、長手方向の軸を有する２つのセグメントの間の接続）によって結合されている。屈曲部及び転回部によってセグメントを結合することによって、ここで説明されるバッテリーセルコネクタは、２つ以上の回転軸（例えば、２つ又は３つの回転軸）に沿った回転剛性とともに、２つ以上の方向（例えば、２つ又は３つの直交する方向）に、機械的圧縮／剪断剛性（例えば、曲げ及び／又は剪断応力の効率的な運搬）を提供する３次元（３−Ｄ）物体に構成される。さらに、ある実施形態においては、セグメントを結合する屈曲部は、１つ以上の回転軸に沿った振動減衰を提供する硬いばねとして機能する。以下で説明されるように、図１から２１は、既存のバッテリーモジュールの幾何学形状（例えば、以下で説明される実施形態は、バッテリーセルコネクタの例示的な幾何学形状を説明する）に便利に適合しつつ、剛性固定及び振動減衰を提供するように構成された例示的な実施形態を示す。
【００１０】
これより、様々な実施形態や添付の図面に記載された実施例に詳細な参照がなされる。以下の詳細な説明においては、本開示及びここに記載された実施形態の十分な理解を提供するため、多数の特定の詳細が説明される。しかし、ここに記載された実施形態は、これらの特定の詳細を含まずに実施されてもよい。他の例においては、実施形態の観点を不必要に不明りょうにしないように、よく知られた方法、手順、部品及び機械的装置は、詳細に説明されない。
【００１１】
図１は、ある実施形態による、第１のバッテリーセルコネクタ１００（例えば、バスバー又はバッテリーモジュールコネクタとも呼ばれる）の斜視図を示す。第１のバッテリーセルコネクタ１００は、複数のセグメント１０２（例えば、セグメント１０２−１から１０２−５）を含む。ある実施形態においては、バッテリーセルコネクタは、２つのセグメント、３つのセグメント、又はそれより多いセグメントを含む。例えば、第１のバッテリーセルコネクタ１００は、５つのセグメントを含む。
【００１２】
各セグメント１０２は、別々の平面（例えば、別々の平面内にある）を定義する。例えば、軸１０４に示されているように、セグメント１０２−１及び１０２−２は、ｘｚ平面と平行であり、セグメント１０２−３及び１０２−４は、ｘｙ平面と平行であり、セグメント１０２−５は、ｙｚ平面と平行である。ある実施形態においては、バッテリーセルコネクタは、複数の別々の平面（例えば、２つ又は３つの平面）を定義する複数のセグメントを含む。例えば、第１のバッテリーセルコネクタ１００は、３つの平面（例えば、ｘｙ平面、ｘｚ平面及びｙｚ平面）を定義する５つのセグメントを含む。ある実施形態においては、例えば、第１のバッテリーセルコネクタ１００に示されているように、３つの平面は、互いに実質的に垂直である。
【００１３】
各セグメントは別々の長手方向の軸を有する。例えば、セグメント１０２−１及び１０２−４は、ｘ方向（すなわち、左右方向）に沿った別々の長手方向の軸を有し、セグメント１０２−２は、ｚ方向（すなわち、前後方向）に沿った１つの長手方向の軸を有し、セグメント１０２−３及び１０２−５は、ｙ方向（上下方向）に沿った別々の長手方向の軸を有する。ある実施形態においては、１つのセグメントの長手方向の軸は、そのセグメントの中心から隣接する屈曲部又は転回部への方向に沿っている。ある実施形態においては、１つのセグメントの長手方向の軸は、そのセグメントの第１の端の屈曲部又は転回部と、その第１の端と反対にある、そのセグメントの第２の端の屈曲部又は転回部とを接続する方向に沿っている。
【００１４】
第１のバッテリーセルコネクタ１００は、複数のセグメントを結合して３次元物体（例えば、実質的な空間的な広がり及び／又は３つの直交する方向において実質的な剛性を有する物体）にする複数の屈曲部１０６（例えば、屈曲部１０６−１、屈曲部１０６−２及び屈曲部１０６−３）を含む。複数のセグメントを結合して３次元物体にする複数の屈曲部は、少なくとも３つの異なる方向（例えば、３つの明確な方向に沿った屈曲軸を有する）を指す屈曲部を備える。ある実施形態においては、３つの異なる方向は、直交する（垂直な）方向である。ある実施形態においては、複数の屈曲部のうちの少なくとも２つは、互いに平行でない。ある実施形態においては、複数の屈曲部のうちの少なくとも３つは、互いに平行でない。ある実施形態においては、２つの屈曲部が互いに平行でない別々の屈曲軸を有するとき、それらの２つの屈曲部は、互いに並行でない。各屈曲部１０６は、複数のセグメントの隣接するセグメントの唯一の対の間に配置されている（例えば、結合する）。例えば、屈曲部１０６−１は、セグメント１０２−１とセグメント１０２−５との間に配置され、屈曲部１０６−２は、セグメント１０２−５とセグメント１０２−４との間に配置され、屈曲部１０６−３は、セグメント１０２−３とセグメント１０２−２との間に配置されている。この例において、屈曲部１０６−１は、ほぼｚ方向の軸を有し、屈曲部１０６−２は、ほぼｙ方向の軸を有し、屈曲部１０６−３は、ほぼｘ方向の軸を有する。図２６Ａから２６Ｃと関連して以下で説明されるように、第１のバッテリーセルコネクタ１００は、所定の位置において異なる方向に２次元のＵ字形の金属シート２６０６の異なる部分を曲げることによって、前記Ｕ字形の金属シート２６０６から形成される。例えば、Ｕ字形の金属シート２６０６によって定義される平面に対して垂直な２つの反対方向にＵ字形の金属シート２６０６の対応する側部を曲げる（例えば、図２６Ｃの２６２６−２及び２６２６−３を参照）ことによって、両端セグメントが形成され、もう１つの屈曲部２６０６−１は、Ｕ字形の金属シート２６０６の底部を曲げることによって形成される。屈曲部のいずれかの側にある隣接する２つのセグメントの唯一の対は、２つの明確な別々の平面を定義する。ある実施形態においては、２つの明確な平面は、互いに垂直である（例えば、屈曲部は９０度の曲がりである）。ある実施形態においては、屈曲部は、ある曲率半径を有する。ある実施形態においては、屈曲部は、２つの明確な別々の平面の両方に平行な別々の屈曲軸に沿って曲げられている（例えば、屈曲部は、屈曲軸によって特徴付けられる）。例えば、屈曲部１０６−１に対する屈曲軸は、ｚ軸と平行である。ある実施形態においては、複数の屈曲部１０６は、３つの明確な屈曲軸を有する少なくとも３つの屈曲部を含む。ある実施形態においては、３つの明確な屈曲軸は、互いに垂直である。ある実施形態においては、複数の屈曲部は、振動減衰要素として機能する（例えば、屈曲部のそれぞれの屈曲軸に対して垂直な方向に沿って振動を減衰する）。
【００１５】
具体的には、セグメント１０２−１の右端は屈曲部１０６−１を介してセグメント１０２−５の上端と接続され、セグメント１０２−５の前端は屈曲部１０６−２を介してセグメント１０２−４の左端と接続され、セグメント１０２−４の上端は屈曲部１０６−３を介してセグメント１０２−２の前端と接続されている。
【００１６】
ある実施形態においては、バッテリーセルコネクタは、車両（例えば、電気自動車）において使用されるためのものであり、屈曲部は、車両の所定の動作条件（例えば、振動又は衝撃）の下で弾性変形可能である。例えば、ある実施形態においては、屈曲部は、車両及び／又はバッテリーシステムの１つ以上の共振モードを減衰するように設計された剛性を有するばねとして機能する。
【００１７】
図１に示された例において、セグメント１０２−１は、第１のバッテリーセルのバッテリーポール（例えば、負極、正極、接続端子、又は、負極若しくは正極の接点）のための１つ以上の第１の接続部１０８を含む複数のセグメント１０２のうちの第１のセグメントである。セグメント１０２−２は、第２のバッテリーセルのバッテリーポールのための１つ以上の第２の接続部１１０を含む複数のセグメント１０２の第２のセグメントである。ある実施形態においては、第１の接続部１０８は、第１のバッテリーセルと接続するための回転剛性を提供する、少なくとも２つの接続部（例えば、第１の接続部１０８−１及び１０８−２）を含む。ある実施形態においては、第２の接続部は、第２のバッテリーセルと接続するための回転剛性を提供する、少なくとも２つの接続部（例えば、第２の接続部１１０−１及び１１０−２）を含む。ある実施形態においては、第１の接続部及び第２の接続部のそれぞれの接続部は、バッテリー端子を受け入れるのに適した開口を有し、そのバッテリー端子は、少なくとも部分的には開口の周囲に沿って機械的に接続されている（例えば、第１のバッテリーセルコネクタ１００において示されているように、接続部１０８／１１０のそれぞれがバッテリー端子を受け入れるのに適した開口を有し、前記端子はバッテリーにねじ込まれるボルトを備えていてもよい）。１つ以上の第１の接続部は、１つ以上の第２の接続部と電気的に結合されている。ある実施形態においては、複数のセグメントは、１つ以上の第１の接続部１０８と１つ以上の第２の接続部１１０との間に電気的な結合を形成する電気導体を含む。ある実施形態においては、例えば第１のバッテリーセルコネクタ１００において示されているように、複数のセグメントと複数の屈曲部は、１つ以上の第１の接続部１０８と１つ以上の第２の接続部１１０との間に電気的な結合を形成する電気導体を含む単一の連続した金属シートによって形成されている。ある実施形態においては、コネクタ１００は、銅又はアルミニウムからできている。
【００１８】
ある実施形態においては、接続部１０８／１１０を含むセグメント１０２は、明確に識別可能な長手方向の軸を有しない。ある実施形態においては、接続部１０８／１１０を含むセグメント１０２は、１つ以上の追加セグメントを含む複数のセグメントのうちのそれぞれのセグメントであり、それぞれの追加セグメントが長手方向の軸を有する。
【００１９】
ある実施形態においては、第１のバッテリーセルコネクタ１００は、１つ以上の（又は複数の）転回部１１２を含む（視覚的な明確さのため、図１において、１つの転回部１１２−１のみに参照番号が付与されている）。各転回部１１２は、複数のセグメント１０２における第２の隣接するセグメント１０２の唯一の対を結合している。例えば、転回部１１２−１は、セグメント１０２−３と１０２−４とを結合する。第２の隣接するセグメント１０２の唯一の対は、同一のそれぞれの平面内で明確なそれぞれの長手方向の軸を有する。例えば、セグメント１０２−３は、ｙ方向に長手方向の軸を有し、セグメント１０２−４は、ｘ方向に長手方向の軸を有し、セグメント１０２−３と１０２−４の両方は、ｘｙ平面と平行である。ある実施形態においては、転回部によって結合されたセグメントの各軸は、垂直である（例えば、そのセグメントは、Ｌ字形を形成する）。ある実施形態においては、複数のセグメントは、Ｌ字形の開口を有する（例えば、開口の少なくとも一部はＬ字形である）。
【００２０】
図２から４は、ある実施形態による第１のバッテリーセルコネクタ１００の代替図を示す。図２は、第１のバッテリーセルコネクタ１００を利用する第１のバッテリーシステム２００の部分分解図を示す。バッテリーシステム２００は、複数の（例えば、２つ以上の）バッテリーセル（モジュールとも呼ばれる）２０２（例えば、バッテリーセル／モジュール２０２−１及び２０２−２）を含む。第１のバッテリーセルコネクタ１００は、接続部１０８／１１０を貫通するボルト２０４によってバッテリーセル／モジュール２０２−１及び２０２−２と結合されており（図１）、それらのボルトは、バッテリーセルの端子として機能する。例えば、ある実施形態においては、バッテリーセル／モジュール２０２−１とバッテリーセル／モジュール２０２−２とが電気的に直列に接続されるように、バッテリーセル／モジュール２０２−１の正極は、バッテリーセル／モジュール２０２−２の負極と結合されている。図３は、ある実施形態による、第１のバッテリーセルコネクタ１００を利用する第１のバッテリーシステム２００の組立図を示す。図４は、ある実施形態による、第１のバッテリーセルコネクタ１００を利用する第１のバッテリーシステム２００の組立図の部分拡大３００を示す。特に、図３は、第１のバッテリーセルコネクタ１００がぴったりと（例えば、しっかりと）バッテリーセル／モジュール２０２−１とバッテリーセル／モジュール２０２−２との間に適合することを示している。
【００２１】
図５から８は、ある実施形態による、第２のバッテリーセルコネクタ５００の様々な図を示す。特に、図５は第２のバッテリーセルコネクタ５００の斜視図を示し、図６は第２のバッテリーセルコネクタ５００の平面図を示し、図７は第２のバッテリーセルコネクタ５００を利用する第２のバッテリーシステム７００の部分分解図を示し、図８は第２のバッテリーセルコネクタ５００を利用する第２のバッテリーシステム７００の組立図の部分拡大８００を示す。第２のバッテリーセルコネクタ５００は第１のバッテリーセルコネクタ１００に主に類似しているが、第２のバッテリーセルコネクタ５００は、第１のバッテリーセルコネクタ１００とは幾何学的に異なって配置されている。それにもかかわらず、第２のバッテリーセルコネクタ５００は、複数のセグメント１０２（例えば、セグメント１０２−６から１０２−１０、及び、視覚的な明確さのためラベル付けされていないが、必要に応じて他のもの）、複数の屈曲部１０６（例えば、屈曲部１０６−４、及び、視覚的な明確さのためラベル付けされていないが、必要に応じて他のもの）、接続部１０８／１１０及び複数の転回部１１２（例えば、転回部１１２−２、及び、視覚的な明確さのためラベル付けされていないが、必要に応じて他のもの）を含む。セグメント１０２、屈曲部１０６、接続部１０８／１１０及び転回部１１２は、図１から４を参照して前述されたものと類似の特徴を有する。図７から８に示されているように、第２のバッテリーセルコネクタ５００は、バッテリーセル／モジュール７０２−１とバッテリーセル／モジュール７０２−２とを接続するために用いられる。
【００２２】
具体的には、セグメント１０２−６の前端は屈曲部を介してセグメント１０２−７の上端と接続され、セグメント１０２−７の右端は、屈曲部１０６−４を介してセグメント１０２−８の前端と接続され、セグメント１０２−８の上端は、屈曲部を介してセグメント１０２−１０の左端と接続されている。
【００２３】
図９から１２は、ある実施形態による、第３のバッテリーセルコネクタ９００の様々な図を示している。具体的には、図９は、第３のバッテリーセルコネクタ９００を利用する第３のバッテリーシステム９５０の部分分解図を示し、図１０は、第３のバッテリーセルコネクタ９００を利用する第３のバッテリーシステム９５０の別の部分分解図を示し、図１１は、第３のバッテリーセルコネクタ９００を利用する第３のバッテリーシステム９５０の組立図を示し、図１２は、第３のバッテリーセルコネクタ９００を利用する第３のバッテリーシステム９５０の組立図の部分拡大１２００を示す。第３のバッテリーセルコネクタ９００は、複数のセグメント１０２（セグメント１０２−１１、セグメント１０２−１２及び他のセグメント）、複数の屈曲部１０６（例えば、屈曲部１０６−５及び１０６−６）及び接続部１０８／１１０を含み、それらは、それぞれ、図１から４を参照して前述されたものと類似の特徴を有する。しかし、第３のバッテリーセルコネクタ９００の２つのそれぞれのセグメント１０２（言い換えると、セグメント１０２−１１及び１０２−１２）は、ばね（例えば、衝撃吸収器又は振動減衰器）を形成するために、溶接されている（例えば、溶接によって、結合されている）。ある実施形態においては、ばねは、ピンセット構造を形成する。ある実施形態においては、ピンセット構造は、小さい角度（例えば、５から３０度の間）の単一の回転（例えば、複合又は多次元回転ではない）によって分離された平面を有する２つの平面セグメントを含む。ある実施形態においては、第３のバッテリーセルコネクタ９００の各セグメント１０２のそれぞれの長手方向の軸は、共通の平面にある。ある実施形態においては、第３のバッテリーセルコネクタ９００は、いかなる転回部も含まない。ある実施形態においては、第３のバッテリーセルコネクタ９００の各セグメントの長手方向の軸は、同一平面内にある。図１１から１２に示されているように、第３のバッテリーセルコネクタ９００の溶接された２つのセグメントは、それぞれの長手方向の軸上の共通の平面がバッテリー端子の取付部の平面に対して垂直である状態で、それぞれのバッテリー／セルモジュールの間に位置するように構成されている。
【００２４】
具体的には、第１の固定部は、屈曲部１０６−５を介してセグメント１０２−１１の上端と接続されてセグメント１０２−１１から離れて延び、第２の固定部は、屈曲部１０６−６を介してセグメント１０２−１２の上端と接続されてセグメント１０２−１２から離れて延びている。言い換えると、第１の固定部は、セグメント１０２−１１上に配置されてセグメント１０２−１１とセグメント１０２−１２との夾角から離れて延び、第２の固定部は、セグメント１０２−１２上に配置されてセグメント１０２−１１とセグメント１０２−１２との夾角から離れて延びている。さらに、第１の固定部がある平面は、第２の固定部がある平面と平行であってもよい。
【００２５】
ある実施形態においては、第１の固定部は、セグメント１０２−１１の上端に配置され、セグメント１０２−１１の上端と接続され、水平状態になるまで左方に曲げられており、第２の固定部は、セグメント１０２−１２の上端に配置され、セグメント１０２−１２の上端と接続され、水平状態になるまで右方に曲げられている。
【００２６】
ある実施形態においては、第１の固定部は、第２の固定部と同一平面内にある。
【００２７】
図１３から１７は、ある実施形態による、第４のバッテリーセルコネクタ１３００の様々な図を示す。具体的には、図１３は、ある実施形態による、第４のバッテリーセルコネクタ１３００の斜視図を示し、図１４は、第４のバッテリーセルコネクタ１３００を利用する第４のバッテリーシステム１４００の部分分解図を示し、図１５は、第４のバッテリーセルコネクタ１３００を利用する第４のバッテリーシステム１４００の別の部分分解図を示し、図１６は、ある実施形態による、第４のバッテリーセルコネクタ１３００を利用する第４のバッテリーシステム１４００の組立図を示し、図１７は、第４のバッテリーセルコネクタ１３００を利用する第４のバッテリーシステム１４００の組立図の部分拡大１４０６を示す。第４のバッテリーセルコネクタ１３００は、上述のように、複数のセグメント１０２（例えば、セグメント１０２−１３から１０２−１８）、複数の屈曲部１０６（例えば、屈曲部１０６−７から１０６−９）及び接続部１０８／１１０を含む。第４のバッテリーセルコネクタ１３００は、第４のバッテリーシステム１４００のバッテリーセルモジュール１４０２−１とバッテリーセルモジュール１４０２−２とを電気的に結合する。第４のバッテリーセルコネクタ１３００は、第３のバッテリーセルコネクタ９００と主に類似している（例えば、一緒にばね／ピンセット構造を形成する２つの溶接されたセグメントを含む）。しかし、第４のバッテリーセルコネクタ１３００の非端セグメントのそれぞれの長手方向の軸は、バッテリーセルコネクタ１３００の端セグメントのそれぞれの平面と平行である。図１６から１７に示されているように、第４のバッテリーセルコネクタ１３００の２つの溶接されたセグメントは、それぞれの長手方向の軸がバッテリー端子の取付部の平面と平行な平面にある状態で、それぞれのバッテリー／セルモジュールの間に位置するように構成されている。第４のバッテリーセルコネクタ１３００の複数のセグメント１０２は、Ｌ字形の開口１３０２を有する。
【００２８】
具体的には、セグメント１０２−１６及び１０２−１７の後端は、互いに接続され、セグメント１０２−１６及びセグメント１０２−１７の前端は、小さい角度（ａ  ｆｅｗ  ｄｅｇｒｅｅｓ）の１回転によって、互いに分離されており、すなわち、夾角である。セグメント１０２−１３は、屈曲部１０６−７を介してセグメント１０２−１５の一端に接続され、セグメント１０２−１５から離れて延び、セグメント１０２−１８は、屈曲部１０６−９を介してセグメント１０２−１７の一端に接続され、セグメント１０２−１７から離れて延びている。セグメント１０２−１５は、屈曲部１０６−８を介してセグメント１０２−１６の一端に接続されている。
【００２９】
ある実施形態においては、セグメント１０２−１３の右端は、屈曲部１０６−７を介してセグメント１０２−１５の下端と接続され、セグメント１０２−１８の左端は、屈曲部１０６−９を介してセグメント１０２−１７の下端と接続され、セグメント１０２−１５の後端は、屈曲部１０６−８を介してセグメント１０２−１６の前端と接続され、セグメント１０２−１３は、セグメント１０２−１８と同一平面内にある。
【００３０】
図１８から２１は、ある実施形態による、第５のバッテリーセルコネクタ１８００の様々な図を示す。具体的には、図１８は、ある実施形態による、第５のバッテリーセルコネクタ１８００の斜視図を示し、図１９は、第５のバッテリーセルコネクタ１８００を利用する第５のバッテリーシステム１９００の部分分解図を示し、図２０は、第５のバッテリーセルコネクタ１８００を利用する第５のバッテリーシステム１９００の組立図を示し、図２１は、第５のバッテリーセルコネクタ１８００を利用する第５のバッテリーシステム１９００の組立図の部分拡大２０００を示す。第５のバッテリーセルコネクタ１８００は、上述したように、複数のセグメント１０２（例えば、セグメント１０２−１９から１０２−２６）、複数の屈曲部１０６（例えば、屈曲部１０６−１０から１０６−１２）及び接続部１０８／１１０を含む。第５のバッテリーセルコネクタ１８００は、第５のバッテリーシステム１９００のバッテリーセル／モジュール１９０２−１とバッテリーセル／モジュール１９０２−２とを電気的に結合する。第５のバッテリーセルコネクタ１８００は、第３のバッテリーセルコネクタ９００に主に類似している（例えば、一緒にばね／ピンセット構造を形成する２つの溶接部を含む）。図２０から２１に示されているように、第５のバッテリーセルコネクタ１８００の溶接部は、第５のバッテリーセルコネクタ１８００によって接続されたそれぞれのバッテリー／セルモジュールに隣接し、且つ、その外側に位置するように構成されている。さらに、第５のバッテリーセルコネクタ１８００の溶接部は、バッテリー端子の取付部の平面と平行な平面に長手方向の軸を有する。
【００３１】
具体的には、セグメント１０２−２０は、セグメント１０２−１９の左部に取り付けられ、セグメント１０２−２０の右端は、セグメント１０２−２１の左端に接続されている。セグメント１０２−２１の右端は、実質的にＶ字形の構造を形成するために、夾角によってセグメント１０２−１９から分離され、セグメント１０２−２２の左端は、セグメント１０２−２１の右端に接続され、セグメント１０２−２２の上端は、屈曲部１０６−１０を介してセグメント１０２−２６の前端に接続されている。さらに、セグメント１０２−１９の右端は、屈曲部１０６−１１を介してセグメント１０２−２３の前端に接続され、セグメント１０２−２４の上端はセグメント１０２−２５の左端と接続されている。
【００３２】
ある実施形態においては、セグメント１０２−２６とセグメント１０２−２５は、実質的にＶ字形の構造の同一の側に配置されていてもよく、実質的にＶ字形の構造の異なる側にそれぞれ配置されていてもよい。さらに、セグメント１０２−２６は、セグメント１０２−２５と同一平面内にある。
【００３３】
図２２から２３は、様々な実施形態による、追加的なバッテリーセルコネクタの斜視図を示す。図２２から２３に示されているバッテリーセルコネクタは、前述の単一の金属シートから形成された他のバッテリーセルコネクタと主に類似している。しかし、図２２から２３に示されているバッテリーセルコネクタは、考えられる様々な種類の屈曲部、セグメント、転回部の配置を説明する。例えば、図２２Ａにおいて、バッテリーセルコネクタは、第１の端セグメント２２０２と第２の端セグメント２２０６との間に延在中間部２２０４を有する。延在部２２０４のそれぞれの端を第１の端セグメント２２０２と第２の端セグメント２２０６の１つに接続する複数の屈曲部及び他の中間部が存在する。図２２Ｂは、図２２Ａにおいて示されているバッテリーセルコネクタの僅かな変形であるバッテリーセルコネクタを描写する。具体的には、第１の端セグメント２２１２と第２の端セグメント２２１６との間の延在中間部（２２１４−１、２２１４−２）は、バンプ２２１８を有する。このバンプは、延在中間部２２１４を曲げることによって形成され、その延在中間部を分離して２つのサブセグメント２２１４−１と２２１４−２にする。このバンプ２２１８は、２つの端セグメント２２２０及び２２１６に接続されたバッテリーセル間の振動を吸収するための延在中間部２２１４の軸２２２０に沿って弾性変形可能であるばねとして機能する。ある実施形態においては、延在中間部２２１４は、１つ以上のバンプを含み、他の実施形態においては、バンプは、中間セグメントと端セグメントの両方を含む、１つ以上のセグメントに存在してもよい。
【００３４】
具体的には、図２２Ａに示されているように、第１の端セグメント２２０２の後端は、屈曲部２２０７を介してセグメント２２０３の前端に接続され、セグメント２２０３の後端は、屈曲部２２０８を介して延在中間部２２０４の下端に接続されている。延在中間部２２０４は、その上端で左方に曲がる部分を有し、その左方に曲がる部分の左端は屈曲部２０１０を介してセグメント２２０５の前端に接続され、セグメント２２０５の上端は、屈曲部２２０９を介してセグメント２２０６の左端に接続されている。
【００３５】
ある実施形態においては、セグメント２２０２がある平面は、セグメント２２０６がある平面と平行であってもよい。
【００３６】
同様に、図２２Ｂに示されているように、セグメント２２１２の右端は、屈曲部を介してセグメント２２２０の前端と接続されている。サブセグメント２２１４−２は、その前端で右方に曲がる部分を有し、その右方に曲がる部分の右端は、屈曲部を介してセグメント２２２０の上端に接続されている。サブセグメント２２１４−２の後端は、バンプ２２１８を介してサブセグメント２２１４−１の前端に接続され、サブセグメント２２１４−１は、その後端で右方に曲がる部分を有し、その右方に曲がる部分の右端は、屈曲部を介してセグメント２２１６の上端に接続されている。
【００３７】
ある実施形態においては、セグメント２２１２がある平面は、セグメント２２１６がある平面と垂直であってもよい。
【００３８】
図２４から２５に示されているように、ある実施形態においては、バッテリーセルコネクタは、単一の連続した金属シートから形成されているものが提供される。バッテリーセルコネクタは、第１のバッテリーセルのバッテリーポールのための１つ以上の第１の接続部を含む第１の端セグメント、第２のバッテリーセルのバッテリーポールのための１つ以上の第２の接続部を含む第２の端セグメント及び第１の端セグメントを第２の端セグメントと接続する複数の追加セグメントを含む複数のセグメントを含む。各追加セグメントは、それぞれの平面を定義し、それぞれの長手方向の軸を有する。バッテリーセルコネクタは、複数のセグメントを結合して３次元物体にする複数の屈曲部をも含み、それぞれの屈曲部は、複数のセグメントの隣接するセグメントの唯一の対の間に位置する。隣接するセグメントの唯一の対は、２つの明確な別々の平面を定義する。第１の端セグメントは、第２の端セグメントと平行ではなく、１つ以上の第１の接続部は、１つ以上の第２の接続部と電気的に結合されている。例えば、図２４に示されているように、複数の屈曲部は、第１の屈曲軸２４１０を有する第１の屈曲部２４０８と実質的に第１の屈曲軸と垂直である第２の屈曲軸２４１４を有する第２の屈曲部２４１２とを含む。第１の端セグメント２４０２は、第２の端セグメント２４０４と平行ではない。ある実施形態においては、第１の端セグメント２４０２は第２の端セグメント２４０４と実質的に垂直である。ある実施形態においては、バッテリーセルコネクタは、第１の屈曲軸又は第２の屈曲部のいずれかと平行な屈曲軸を備える第３の屈曲軸を含む。
【００３９】
具体的には、図２４に示されているように、セグメント２４０２の後端は、第１の屈曲部２４０８を介してセグメント２４０３の上側に接続され、セグメント２４０３の右端は、屈曲部２４１６を介してセグメント２４０５の前端に接続されている。セグメント２４０５の後端は、第２の屈曲部２４１２を介してセグメント２４０４の左端に接続されている。
【００４０】
図２５に示されているように、ある実施形態においては、バッテリーセルコネクタは、２つの屈曲部しか含まない。ある実施形態においては、バッテリーセルコネクタは、それらの２つの屈曲部とともに、複数のセグメントを３次元物体に形成する１つの転回部をさらに備える。図２５において、第１の端セグメント２５０２は第２の端セグメント２５０４と平行でない。
【００４１】
具体的には、第１の端セグメント２５０２の前端は、屈曲部を介して中間部２５０６の上端に接続され、中間部２５０６の右端は、第２の端セグメント２５０４の前端に接続されている。ある実施形態においては、第１の端セグメント２５０２は、第２の端セグメント２５０４と実質的に垂直であってもよい。
【００４２】
ある実施形態においては、２つの別々のセグメントを溶接することによってひとつに結合された、少なくとも２つの連続した金属のシートは、ばねを形成する。ある実施形態においては、複数の屈曲部が少なくとも３つの異なる方向に向いている。ある実施形態においては、複数のセグメントのうちの第１及び第２のセグメントは、互いに平行ではない。
【００４３】
代替的に、ある実施形態においては、２つ以上の連続した金属シートから形成されるバッテリーセルコネクタが提供される。バッテリーセルコネクタ９００（図９から１２を参照して前述した）、バッテリーセルコネクタ１３００（図１３から１７を参照して前述した）及びバッテリーセルコネクタ１８００（図１８から２１を参照して前述した）は、そのようなバッテリーセルコネクタの例である。ある実施形態においては、バッテリーセルコネクタは、金属の導電性シートの複数のセグメントを含み、各セグメントは、それぞれの平面を定義し、それぞれの長手方向の軸を有する。バッテリーセルコネクタは、複数のセグメントを結合して３次元物体にする複数の屈曲部をも含み、各屈曲部は、複数のセグメントの隣接するセグメントの唯一の対の間に配置されている。隣接するセグメントの唯一の対は、２つの明確な別々の平面を定義する。バッテリーセルコネクタは、溶接された（例えば、「ピンセット」（tweezer）「配置」（arrangement）における）２つの別々のセグメントを含む少なくとも１つのばねを含む。複数のセグメントのうちの第１のセグメントは、第１のバッテリーセルのバッテリーポールのための１つ以上の第１の接続部を含む。複数のセグメントのうちの第２のセグメントは、第２のバッテリーセルのバッテリーポールのための１つ以上の第２の接続部を含む。１つ以上の接続部は、１つ以上の第２の接続部と電気的に結合されている。
【００４４】
図２６Ａから２６Ｃは、ある実施形態による、シート金属プロセス２６００を示す。ある実施形態においては、シート金属プロセス２６００を用いて、ここで説明された任意のバッテリーセルコネクタ（例えば、図１から２５を参照）が製造され（例えば、形成され）、又は部分的に製造される（例えば、「ピンセット」形状のバッテリーセルコネクタの場合）。説明を容易にするため、シート金属プロセスは、図１に示されているバッテリーセルコネクタ１００に類似するバッテリーセルコネクタを生産することとして、ここで説明される。
【００４５】
シート金属プロセスは、金属のシート２６０４を切断し（２６０２）、２次元の（例えば、平面の）、複数の転回部２６１０（例えば、転回部２６１０−１及び２６１０−２）によって分離された、第１の複数の平面部２６０８（例えば、平面部２６０８−１から２６０８−３）を有するＵ字形２６０６にすることを含む。例えば、ある実施形態においては、金属のシートは、１ミリメートル（ｍｍ）又は２ｍｍの銅のシートである。ある実施形態においては、金属のシートを切断して２次元形状にすることは、その金属のシートにブランクな部分を形成すること（blanking）を含む。ある実施形態においては、２次元形状は、実質的にＬ字形又はＵ字形である。例えば、２次元形状２６０６は、実質的にＵ字形である。
【００４６】
ある実施形態においては、シート金属プロセス２６００は、追加的な特徴を切断して２次元形状２６０６にすること（２６１２）（例えば、孔を開けること（punching）、切ること（sawing）、フライス加工をすること（milling）、少しずつ取り去ること（nibbling）、又は掘削すること（drilling））を含む。例えば、ある実施形態においては、シート金属プロセス２６００は、複数のセグメント２６０８のうちの第１のセグメント２６０８−１において、第１のバッテリーセルのバッテリーポールのための１つ以上の第１の接続部２６１４を切断することを含む。シート金属プロセス２６００は、複数のセグメントのうちの第２のセグメント２６０８−３において、第２のバッテリーセルのバッテリーポールのための１つ以上の第２の接続部２６１６を切断することをも含む。ある実施形態においては、１つ以上の第１の接続部を切断すること及び１つ以上の第２の接続部を切断することは、１つ以上の第１の接続部及び１つ以上の第２の接続部を掘削すること又は孔開け加工をすること（hole punching）を含む。ある実施形態においては、追加的な特徴は、Ｌ字形又はＵ字形の切除（cutout）２６１８を含む。
【００４７】
シート金属プロセス２６００は、２次元形状２６０６を曲げて（２６２０）、第２の複数の平面セグメント２６２４（視覚的な明確さのため、図２６Ｃにおいて、平面セグメント２６２４のいくつかにのみラベル付けされている）を有する３次元形状２６２２にすることを含む。ある実施形態においては、第２の複数の平面セグメント２６２４は、第１の複数の平面セグメント２６０８よりも多くの数のセグメントを有する（例えば、曲げる作業は、追加的な平面セグメントを生成し、すなわち、平面セグメントが曲げられると、状況によっては、屈曲部によって結合される２つの平面セグメントを生成する）。３次元形状は、第２の複数の平面セグメントのうちの別々のセグメントを分離し、少なくとも３つの異なる方向に向いている複数の屈曲部２６２６を含む。ある実施形態においては、３つの異なる方向は、互いに直交する方向である（例えば、複数の屈曲部は、すべて互いに他の屈曲軸と直交する３つの異なる屈曲軸を有する３つの屈曲部を含む）。ある実施形態においては、曲げの後は、第１のセグメント及び第２のセグメントは互いに平行でない。
【００４８】
上記の説明は、説明の目的で、特定の実施形態を参照してなされた。しかし、上記の説明的な議論は、排他的又は発明を開示された厳密な形式に限定するように意図されていない。上記の教示の観点から、多数の変更や変形が可能である。実施形態は、この技術分野における通常の知識を有する者が、本発明及び企図される特定の利用に適するように様々な変形が加えられた様々な実施形態を最も好適に利用することができるよう、本発明の本質及びその実際の応用を最もよく説明するために選択され、記載された。
【００４９】
「第１」、「第２」などの用語は、様々な要素を説明するために本書において使われているが、これらの要素は、これらの用語によって限定されるべきではないことが理解されるべきである。これらの用語は、ある要素を別の要素から区別するためにのみ用いられている。例えば、「第１のセグメント」のすべての出現が一貫して変更され、「第２のセグメント」のすべての出現が一貫して変更される限り、説明の意味を変えることなく、第１のセグメントは第２のセグメントと名付けられてもよく、同様に、第２のセグメントは第１のセグメントと名付けられてもよい。第１のセグメント及び第２のセグメントは、両方ともセグメントであるが、これらは同一のセグメントではない。
【００５０】
本書において用いられている用語は、特定の実施を説明する目的だけであり、請求の範囲を限定することは意図されていない。実施の説明及び添付の請求の範囲において用いられているように、単数形の「a」、「an」及び「the」は、文脈がそうでないことを明確に示していない限り、複数形も含むことが意図されている。本書において用いられている「及び／又は」という用語は、関連のある記載された事項の任意の全ての可能な組合せを指し示し、含むことをも理解されたい。さらに、含む（「comprises」）及び／又は含んでいる（「comprising」）という用語は、この明細書において用いられるとき、述べられた特徴、整数、ステップ、動作、要素、及び／又は部品の存在を示すが、１つ以上の他の特徴、整数、ステップ、動作、要素、部品及び／又は集合の存在又は付加を排除しない。
【００５１】
本書において用いられているように、「もし〜ならば」（if）という用語は、「〜の場合」（when）、「〜のとき」（upon）、「決定に応答して」（in response to determining）、「決定に応じて」（in accordance with a determination）又は「検出に応答して」（in response to detecting）という、文脈によれば、記述された前提条件が真であることを意味するように解釈され得る。同様に、「［前提条件が真である］と判別されるならば」（if it is determined [that a stated condition precedent is true]）、「［前提条件が真である］ならば」（if [a stated condition precedent is true]）又は「［前提条件が真である］場合」（when [a stated condition precedent is true]）という語句は、文脈によれば、記述された前提条件が真であるという、「判別されるとき」（upon determining)、「〜であると判別されるとき」（upon a determination that)、「判別に応答して」（in response to determining）、「判別によって」（in accordance with a determination）、「検出されたとき」（upon detecting）又は「検出に応答して」（in response to detecting）を意味するように解釈され得る。
【００５２】
（付記）
（付記１）
金属の導電性シートの複数のセグメントであって、各セグメントが別々の平面を定義し、別々の長手方向の軸を有する、複数のセグメントと、
前記複数のセグメントを結合して３次元物体にする複数の屈曲部であって、各屈曲部が前記複数のセグメントのうちの隣接するセグメントの唯一の対の間に配置され、前記隣接するセグメントの唯一の対は、２つの明確な別々の平面を定義する、複数の屈曲部と、
互いに溶接された２つの別々のセグメントを備える少なくとも１つのばねと、を備え、
前記複数のセグメントのうちの第１のセグメントは、第１のバッテリーセルのバッテリーポールのための１つ以上の第１の接続部を含み、
前記複数のセグメントのうちの第２のセグメントは、第２のバッテリーセルのバッテリーポールのための１つ以上の第２の接続部を含み、
前記１つ以上の第１の接続部は、前記１つ以上の第２の接続部と電気的な結合を有する、
バッテリーセルコネクタ。
【００５３】
（付記２）
少なくとも２つの連続した金属のシートを備え、前記少なくとも２つの連続した金属のシートは、前記ばねを形成する前記２つの別々のセグメントを溶接することによって結合されている、
付記１に記載のバッテリーセルコネクタ。
【００５４】
（付記３）
前記複数の屈曲部は、少なくとも３つの異なる方向に向いている、
付記１に記載のバッテリーセルコネクタ。
【００５５】
（付記４）
前記複数のセグメントのうちの前記第１のセグメントと前記第２のセグメントとは、互いに平行でない、
付記１に記載のバッテリーセルコネクタ。
【００５６】
（付記５）
複数の転回部をさらに備え、
各転回部は、前記複数のセグメントのうちの第２の隣接するセグメントの唯一の対を結合し、前記第２の隣接するセグメントの唯一の対は、同一の前記別々の平面内に明確な別々の長手方向の軸を有する、
付記１に記載のバッテリーセルコネクタ。
【００５７】
（付記６）
前記複数のセグメントは、前記１つ以上の第１の接続部と前記１つ以上の第２の接続部との間に前記電気的な結合を形成する電気導体を備える、
付記１に記載のバッテリーセルコネクタ。
【００５８】
（付記７）
前記複数のセグメントは、Ｌ字形の開口を有する、
付記１に記載のバッテリーセルコネクタ。
【００５９】
（付記８）
前記複数の屈曲部は、振動減衰部を備える、
付記１に記載のバッテリーセルコネクタ。
【００６０】
（付記９）
前記バッテリーセルコネクタは、車両において用いるためのものであり、前記複数の屈曲部は、前記車両の動作条件の設定の範囲内で弾性変形可能である、
付記１に記載のバッテリーセルコネクタ。
【００６１】
（付記１０）
前記複数の屈曲部は、３つの屈曲部を含む、
付記１に記載のバッテリーセルコネクタ。
【００６２】
（付記１１）
前記３つの屈曲部は、３つの明確な屈曲軸を有する、
付記１０に記載のバッテリーセルコネクタ。
【００６３】
（付記１２）
前記３つの明確な屈曲軸は、互いに実質的に直交する、
付記１１に記載のバッテリーセルコネクタ。
【００６４】
（付記１３）
前記複数のセグメントは、３つのセグメントを含む、
付記１に記載のバッテリーセルコネクタ。
【００６５】
（付記１４）
前記３つのセグメントは、３つの明確な別々の平面を定義する、
付記１３に記載のバッテリーセルコネクタ。
【００６６】
（付記１５）
前記３つの明確な別々の平面は、実質的に直交する、
付記１４に記載のバッテリーセルコネクタ。
【００６７】
（付記１６）
前記第１の接続部及び前記第２の接続部の各接続部は、バッテリー端子を受け入れるのに適した開口を備え、前記バッテリー端子は、少なくとも部分的には前記開口の周囲に沿って機械的に接続される、
付記１に記載のバッテリーセルコネクタ。
【００６８】
（付記１７）
前記複数のセグメントのうちの各セグメントにおいて形成された少なくとも１つの振動吸収バンプをさらに含む、
付記１に記載のバッテリーセルコネクタ。
【図１】
0006491358.tif 000002
【図２】
0006491358.tif 000003
【図３】
0006491358.tif 000004
【図４】
0006491358.tif 000005
【図５】
0006491358.tif 000006
【図６】
0006491358.tif 000007
【図７】
0006491358.tif 000008
【図８】
0006491358.tif 000009
【図９】
0006491358.tif 000010
【図１０】
0006491358.tif 000011
【図１１】
0006491358.tif 000012
【図１２】
0006491358.tif 000013
【図１３】
0006491358.tif 000014
【図１４】
0006491358.tif 000015
【図１５】
0006491358.tif 000016
【図１６】
0006491358.tif 000017
【図１７】
0006491358.tif 000018
【図１８】
0006491358.tif 000019
【図１９】
0006491358.tif 000020
【図２０】
0006491358.tif 000021
【図２１】
0006491358.tif 000022
【図２２Ａ】
0006491358.tif 000023
【図２２Ｂ】
0006491358.tif 000024
【図２３】
0006491358.tif 000025
【図２４】
0006491358.tif 000026
【図２５】
0006491358.tif 000027
【図２６Ａ】
0006491358.tif 000028
【図２６Ｂ】
0006491358.tif 000029
【図２６Ｃ】
0006491358.tif 000030